(57)【要約】【課題】全体を剥がすことなく、内容を読むことができる簡易包装紙を提供する。また、書類の見開き部分の両面に簡易包装紙を張り付けることができる簡易包装装置を安価に提供する。【解決手段】簡易包装紙（Ｐ）には長手方向にミシン目（Ｍ、Ｍ’、Ｍ１、Ｍ２、…）を入れる。簡易包装装置は、セパレータ紙に張られている簡易包装紙を剥離する簡易包装紙供給部（１）と、該簡易包装紙供給部から供給される簡易包装紙の一方の側縁を書類の見開き部分の表面に張り付ける片面張付部（２０）と、片面が張り付けられた簡易包装紙の他方の側縁を書類の見開き部分の裏面に張り付ける他面張付部（３０）とから構成する。そして、簡易包装紙供給部（１）はセパレータ紙を鋭角的に案内する剥離部（３）から、片面張付部（２０）は張付ローラ（２１〜２３）から、そして他面張付部（３０）は上下方向に所定の間隔をおいて配置されている一対の張付駆動ローラ（３１、３２）から構成する。【選択図】　図２
2004017969.tif 000002
【特許請求の範囲】
【請求項１】
一側部が綴られ他側部が見開き状態になっている雑誌、カタログ、冊子等の書類の見開き部分をシールする簡易包装紙であって、
前記簡易包装紙は、一側面には糊が付けられた平面形状は略長方形を呈し、長手方向にはミシン目が入れられていることを特徴とする簡易包装紙。
【請求項２】
一側部が綴られ他側部が見開き状態になっている雑誌、カタログ、冊子等の書類の見開き部分をシールする簡易包装紙であって、
前記簡易包装紙は、一側面には糊が付けられた平面形状は略長方形を呈し、長手方向には、両端部から所定深さにミシン目が入れられていることを特徴とする簡易包装紙。
【請求項３】
一側部が綴られ他側部が見開き状態になっている雑誌、カタログ、冊子等の書類の見開き部分をシールする簡易包装装置であって、
該包装装置は、セパレータ紙に張られている簡易包装紙を剥離する簡易包装紙供給部と、該簡易包装紙供給部から供給される簡易包装紙の一方の側縁を書類の見開き部分の表面に張り付ける片面張付部と、片面が張り付けられた簡易包装紙の他方の側縁を書類の見開き部分の裏面に張り付ける他面張付部とからなり、
前記簡易包装紙供給部はセパレータ紙を鋭角的に案内する剥離部から、前記片面張付部は押部材から、そして前記他面張付部は上下方向に所定の間隔をおいて配置されている一対の張付駆動ローラからなり、
簡易包装紙は、簡易包装紙が張られているセパレータ紙が前記剥離部により鋭角的に案内されるときセパレータ紙から剥離され、簡易包装紙の一方の側縁は前記押部材により書類の見開き部分の表面に押し付けることにより、そして片面が張り付けられた簡易包装紙の他方の側縁は、前記一対の張付駆動ローラ間を見開き部分を先にして書類が通過するとき張り付けられることを特徴とする簡易包装装置。
【請求項４】
一側部が綴られ他側部が見開き状態になっている雑誌、カタログ、冊子等の書類の見開き部分をシールする簡易包装装置であって、
該包装装置は、セパレータ紙に張られている簡易包装紙を剥離する簡易包装紙供給部と、該簡易包装紙供給部から供給される簡易包装紙を書類の見開き部分の両面に張り付ける両面張付部とからなり、
前記簡易包装紙供給部は、セパレータ紙を鋭角的に案内する剥離部を備え、前記両面張付部は上下方向に所定の間隔をおいて配置されている一対の駆動張付ローラからなり、
簡易包装紙は、簡易包装紙が張られているセパレータ紙が前記剥離部により鋭角的に案内されるときセパレータ紙から剥離され、そして前記両面張付部の前方に位置決めされ、
書類の見開き部分は、該部分を先にして位置決めされている簡易包装紙に略直角に当接させ、そして前記一対の駆動張付ローラ間を通過させるとき張り付けられることを特徴とする簡易包装装置。
【請求項５】
一側部が綴られ他側部が見開き状態になっている雑誌、カタログ、冊子等の書類の見開き部分の側部をシールする簡易包装装置であって、
該包装装置は、セパレータ紙に張られている簡易包装紙を剥離する、所定間隔に配置されている一対の簡易包装紙供給部と、該簡易包装紙供給部から供給される簡易包装紙の一方の側縁を書類の見開き部分の側部の表面に張り付ける片面張付部と、片面が張り付けられた簡易包装紙の他方の側縁を書類の見開き部分の側部の裏面に張り付ける他面張付部とからなり、
前記簡易包装紙供給部はセパレータ紙を鋭角的に案内する剥離部から、前記片面張付部は押部材から、そして前記他面張付部はガイド部材からなり、
簡易包装紙は、簡易包装紙が張られているセパレータ紙が前記剥離部により鋭角的に案内されるときセパレータ紙から剥離され、簡易包装紙の一方の側縁は前記押部材により書類の見開き部分の側部の表面に押し付けることにより、そして片面が張り付けられた簡易包装紙の他方の側縁は、前記ガイド部材を通過するとき張り付けられることを特徴とする簡易包装装置。
【発明の詳細な説明】
【０００１】
【発明の属する技術分野】
本発明は、一側部が綴られ他側部が見開き状態になっている雑誌、カタログ、冊子等の書類の見開き部分をシールする簡易包装紙及びこの簡易包装紙を見開き部分の両面に張り付けるための簡易包装装置に関するものである。
【０００２】
【従来の技術】
雑誌、カタログ、冊子等の書類は、従来周知のように一側部のみが綴られている。そして、店頭、図書館、資料館、閲覧室等の施設に陳列されている。したがって、読者あるいはユーザは必要に応じて入手し、綴られていない見開き部分を開いて内容を読むことができる。ところで、このような書類は、他側部は自由にめくれる見開き状態となっているので、例えばダイレクトメールとして個人宛に郵送する場合は封筒に納める等の格別の包装が必要となっている。しかしながら、見開き部分をシールすると、第３種郵便物として郵送できるようになる。そこで、上記のような書類の見開き部分をシールする簡易包装装置が従来から色々提案されている。
【０００３】
本発明の先行技術としては、特開２０００−２１９２８５に示されている簡易包装装置を挙げることができる。この簡易包装装置は、片面糊付テープを保持するテープ保持手段、片面糊付テープを所定長さに切断するテープ切断手段、書類すなわちワークを片面糊付テープに略直角に当接させるワーク供給手段、片面糊付テープをワークに張り付けるテープ押圧手段等から構成されている。したがって、テープ切断手段により、テープ保持手段から繰り出される片面糊付テープを所定長さに切断し、切断された片面糊付テープに、ワーク供給手段によりワークを当接させ、ワークを片面糊付テープの間に押し込み、そしてテープ押圧手段により片面糊付テープを書類に対して押しつけると、書類の見開き部分が片面糊付テープによりシールされる。これにとり、第３種郵便物に適合するようになる。また、同様な簡易荷送シール装置が特開２０００−１４２６３４により提案されている。
【０００４】
【発明が解決しようとする課題】
上記従来の包装装置によっても、書類の見開き部分をシール状態に包装し、第３種郵便物の適合品とすることはできる。しかしながら、改良すべき点も認められる。例えば、第３種郵便物として郵送される書類は、重要な書類ではない場合が多いが、このような書類は、簡易包装紙を完全に剥がすことなく、すなわち綺麗に剥がして表紙を元の状態に戻すことなく、内部を読むことができれば間に合う場合もある。しかし、従来のシールは全体を剥がさなければ内容を見ることができず、利用者にとっては必ずしも使い勝手はよくない。また、簡易包装紙は鋏、ペーパナイフ等の器具がないと、切り剥がし難いという問題もある。一方、簡易包装装置の点から見ると、テープ保持手段、片面糊付テープを所定長さに切断するテープ切断手段、書類すなわちワークを片面糊付テープに略直角に当接させるワーク供給手段、片面糊付テープをワークに張り付けるテープ押圧手段等から構成されているので、装置が大型になり高価なものとなっている。特に、見開き部分をシールするだけの装置としては高価で、第３種郵便物の適合品とするのにはコストがかかりすぎる。
【０００５】
本発明は、上記したような従来の事情に鑑みて提案されたものであって、書類の見開き部分を第３種郵便物に適合するようにシールすることができると共に、全体を剥がすことなく、内容を読むことができるシールすなわち簡易包装紙を提供することを目的としている。また、他の発明は、構造が簡単で安価にも拘わらず一側部が綴られ他側部が自由になっている雑誌、カタログ、冊子等の書類の、前記他側部の両面に簡易包装紙を張り付けることができる簡易包装装置を提供することを目的としている。
【０００６】
【課題を解決するための手段】
請求項１に記載の発明は、上記目的を達成するために、一側部が綴られ他側部が見開き状態になっている雑誌、カタログ、冊子等の書類の見開き部分をシールする簡易包装紙であって、面には糊が付けられた平面形状は略長方形を呈し、長手方向にはミシン目が入れられている。請求項２に記載の発明は、一側部が綴られ他側部が見開き状態になっている雑誌、カタログ、冊子等の書類の見開き部分をシールする簡易包装紙であって、前記簡易包装紙は、一側面には糊が付けられた平面形状は略長方形を呈し、長手方向には、両端部から所定深さにミシン目が入れられている。
請求項３に記載の発明は、一側部が綴られ他側部が見開き状態になっている雑誌、カタログ、冊子等の書類の見開き部分をシールする簡易包装装置であって、該包装装置は、セパレータ紙に張られている簡易包装紙を剥離する簡易包装紙供給部と、該簡易包装紙供給部から供給される簡易包装紙の一方の側縁を書類の見開き部分の表面に張り付ける片面張付部と、片面が張り付けられた簡易包装紙の他方の側縁を書類の見開き部分の裏面に張り付ける他面張付部とからなり、前記簡易包装紙供給部はセパレータ紙を鋭角的に案内する剥離部から、前記片面張付部は押部材から、そして前記他面張付部は上下方向に所定の間隔をおいて配置されている一対の駆動張付ローラからなり、簡易包装紙は、簡易包装紙が張られているセパレータ紙が前記剥離部により鋭角的に案内されるときセパレータ紙から剥離され、簡易包装紙の一方の側縁は前記押部材により書類の見開き部分の表面に押し付けることにより、そして片面が張り付けられた簡易包装紙の他方の側縁は、前記一対の駆動張付ローラ間を見開き部分を先にして書類が通過するとき張り付けられるように構成される。請求項４に記載の発明は、一側部が綴られ他側部が見開き状態になっている雑誌、カタログ、冊子等の書類の見開き部分をシールする簡易包装装置であって、該包装装置は、セパレータ紙に張られている簡易包装紙を剥離する簡易包装紙供給部と、該簡易包装紙供給部から供給される簡易包装紙を書類の見開き部分の両面に張り付ける両面張付部とからなり、前記簡易包装紙供給部は、セパレータ紙を鋭角的に案内する剥離部を備え、前記両面張付部は上下方向に所定の間隔をおいて配置されている一対の駆動張付ローラからなり、簡易包装紙は、簡易包装紙が張られているセパレータ紙が前記剥離部により鋭角的に案内されるときセパレータ紙から剥離され、そして前記両面張付部の前方に位置決めされ、書類の見開き部分は、該部分を先にして位置決めされている簡易包装紙に略直角に当接させ、そして前記一対の駆動張付ローラ間を通過させるとき張り付けられるように構成される。請求項５に記載の発明は、一側部が綴られ他側部が見開き状態になっている雑誌、カタログ、冊子等の書類の見開き部分の側部をシールする簡易包装装置であって、該包装装置は、セパレータ紙に張られている簡易包装紙を剥離する、所定間隔に配置されている一対の簡易包装紙供給部と、該簡易包装紙供給部から供給される簡易包装紙の一方の側縁を書類の見開き部分の側部の表面に張り付ける片面張付部と、片面が張り付けられた簡易包装紙の他方の側縁を書類の見開き部分の側部の裏面に張り付ける他面張付部とからなり、離部から、前記片面張付部は押部材から、そして前記他面張付部はガイド部材からなり、簡易包装紙は、簡易包装紙が張られているセパレータ紙が前記剥離部により鋭角的に案内されるときセパレータ紙から剥離され、簡易包装紙の一方の側縁は前記押部材により書類の見開き部分の側部の表面に押し付けることにより、そして片面が張り付けられた簡易包装紙の他方の側縁は、前記ガイド部材を通過するとき張り付けられるように構成される。
【０００７】
【発明の実施の形態】
以下、図１〜５により本発明の実施の形態を説明する。図１は、簡易包装紙の実施の形態を示す図で、その（イ）は雑誌、カタログ、冊子等の書類の斜視図で、その（ロ）〜（ホ）は簡易包装紙のそれぞれ異なる実施の形態を示す平面図であるが、図１の（イ）に示されているように、本実施の形態によると、書類Ｂの１側ａは綴られ、両側ｂ、ｃ及び第３側ｄは見開き状態になっている。そして、第３側ｄが簡易包装紙Ｐでシールされている。
【０００８】
簡易包装紙Ｐは、全体として平面形は長方形を呈し、その長辺の長さＬは、書類Ｂの他側ｄの長さにほぼ等しく、短辺の幅Ｗは書類Ｂの表裏に張られる糊代部分と書類Ｂの厚さの合計になっている。このような形状あるいは大きさの簡易包装紙Ｐの裏面には、弱糊あるいは剥離可能な糊が付けられている。あるいは感熱式サーマル紙からなっている。そして、図１の（ロ）に示されている実施の形態によると、長手方向の略中心部に１本のミシン目Ｍが入れられている。図１の（イ）には、このようなミシン目Ｍが入れられた簡易包装紙Ｐにより、書類Ｂの第３側ｄがシールされている。したがって、例えば郵送されてきた書類Ｂは、簡易包装紙Ｐの全体を剥がすことなく、ミシン目Ｍで切り離し、内容を読むこともできる。また、切り離したミシン目Ｍから全体を剥がすこともできる。
【０００９】
図１の（ハ）には、簡易包装紙Ｐの両端部から所定深さにミシン目Ｍ’、Ｍ’が入れられた実施の形態が示されている。本実施の形態に係わる簡易包装紙Ｐも、図１の（イ）に示されているような書類Ｂに使用される。そして、第３側ｄを開くときは、ミシン目Ｍ’、Ｍ’の方から裂き開くことになる。図１の（ロ）に示されているように、縦方向の全長にミシン目Ｍが入れられていると、取扱中にミシン目Ｍが裂ける事故が生じる可能性もあるが、ミシン目のない部分が設けられていると、このような事故を防ぐことができる。図１の（ニ）には、２本のミシン目Ｍ１、Ｍ２が入れられた実施の形態が示され、（ホ）には簡易包装紙Ｐの両端部から所定深さに２本のミシン目Ｍ１’、Ｍ２’が入れられた実施の形態が示されている。これらの実施の形態に係わる簡易包装紙Ｐは、比較的厚い書類Ｂのシールに適している。前述したようにして、張られた簡易包装紙Ｐを切り離し、あるいは裂いて第３側ｄを開くことができることは明らかである。なお、ミシン目は３本以上入れても、同様に実施できることは明らかである。
【００１０】
上記のような簡易包装紙Ｐは、行き先、宛名等の情報が印字されていると、ラベルにもなる。したがって、本発明で言う簡易包装紙には、このようなラベルも含まれることになる。また、書類Ｂのシールされた部分が見えることが望ましい場合もある。したがって、簡易包装紙は透明な紙から構成されることもある。
【００１１】
次に、図２により簡易包装装置の第１の実施の形態を説明する。第１の実施の形態に係わる簡易包装装置は、図２の（ロ）に示されているようにセパレータ紙Ｓに所定間隔に剥離可能に張られている簡易包装紙Ｐ、Ｐ、…を、図１の（イ）に示されているように書類Ｂの第３側ｄに張る装置で、概略的には図２の（イ）に示されているように、セパレータ紙Ｓから簡易包装紙Ｐを剥がし、そして書類Ｂに供給する簡易包装紙供給部１、剥離された簡易包装紙Ｐの後端縁部を書類Ｂの上表面に張り付ける片面張付部２０、簡易包装紙Ｐの前端縁部を書類Ｂの裏側に張り付けて製品化する他面張付部３０等から構成されている。なお、簡易包装紙Ｐには、前述したようなミシン目が入れられたものも、あるいはミシン目のないものも適用されるが、図３〜５にはミシン目のない易包装紙Ｐが示されている
。
【００１２】
簡易包装紙供給部１は、剥離器２を備えている。剥離器２は、簡易包装紙Ｐ、Ｐ、…が付着した状態でセパレータ紙Ｓをガイドする第１の面と、簡易包装紙Ｐ、Ｐ、…が剥がれたセパレータ紙Ｓをガイドする第２の面と、これらの面が交差する先端部の剥離部３とから側面形状が略三角形を呈するように構成されている。剥離部３は、図２の（イ）あるいは（ニ）、（ホ）にも示されているように、鋭角になっている。したがって、簡易包装紙Ｐ、Ｐ、…が付着しているセパレータ紙Ｓが剥離部３を通過するとき、セパレータ紙Ｓが鋭角に曲げられるので、簡易包装紙Ｐ、Ｐ、…は、セパレータ紙Ｓから剥離する。このように剥離する簡易包装紙Ｐ、Ｐ、…を書類Ｂに付着させるために、剥離部３は書類搬送コンベヤ１０の通路に臨むようにして取り付けられている。簡易包装紙供給部１は、さらに簡易包装紙Ｐ、Ｐ、…が付着しているセパレータ紙Ｓを回転自在に保持する第１のセパレータ紙保持器４と、剥離されたセパレータ紙を巻き取る第２のセパレータ紙保持器５とを備えている。そして、第１のセパレータ紙保持器４から繰り出されるセパレータ紙Ｓは、一対のガイドローラ６、６で案内されて、剥離器２の方へ送られる。このガイドローラ６、６には、エンコーダが設けられ、その回転数は図示されない制御装置に入力されるようになっている。簡易包装紙Ｐ、Ｐ、…が剥離されたセパレータ紙Ｓは、一対の駆動ローラ７、７を介して第２のセパレータ紙保持器５に巻き取られるようになっている。
【００１３】
剥離器２の剥離部３の先端部の下方に、書類を搬送する書類搬送コンベヤ１０が設けられている。例えばベルトコンベヤからなる書類搬送コンベヤ１０は、図１に示されている実施の形態では、複数個の駆動ローラ１１、１１、…を備えている。これらの駆動ローラ１１、１１、…は、制御装置からの信号で回転が制御されるようになっている。すなわち、書類搬送コンベヤ１０により送られてくる書類Ｂは、その見開き部分である第３側ｄが剥離部３に近づくと、一旦停止するようになっている。なお、書類搬送コンベヤ１０は、他面張付部３０の方まで延びている。また、図には示されていないが、片面張付部２０の前後の駆動ローラ１１ａ、１１ｂは、上方へ移動可能になっている。これにより、書類Ｂの厚みを逃すことができる。
【００１４】
片面張付部２０は、本実施の形態では第１の張付ローラ２１と、第２、３の張付ローラ２２、２３とからなっている。第１の張付ローラ２１は、後述するように、書類Ｂの表面に所定の押圧力で接触するように、また第２、３の張付ローラ２２、２３は、図２の（ハ）に示されているように上方ローラと、この上方ローラの下方に配置されている下方ローラとからなっている。そして、処理される書類Ｂが、これらの第２、３の張付ローラ２２、２３の間を通過することにより、簡易包装紙Ｐの下方部分が予備的に曲げられ、一部が張り付けられる。このような第１〜３の張付ローラ２〜２３は、例えばポリウレタンのようなクッション性の材質から構成され、第１、２のエアシリンダ２５、２６により上下方向に駆動されるようになっている。
【００１５】
他面張付部３０は、上下に所定の間隔をおいて配置されている一対の駆動張付ローラ３１、３２から構成されている。そして、これらの駆動張付ローラ３１、３２は、軸３３、３４とスプリング３５、３６とにより復元可能に揺動的に支持されているブラケット３７、３８にそれぞれ取り付けられている。このように、駆動張付ローラ３１、３２は、揺動的に支持されているブラケット３７、３８に取り付けられているので、格別に調整をしなくとも異なる厚みの書類Ｂにも対応できることになる。なお、駆動張付ローラ３１、３２の間隔を調節するように実施できることは明らかである。
【００１６】
次に、上記第１の実施の形態の作用を、図２の（ニ）〜（ト）も参照しながら説明する。なお、本実施の形態に係わる簡易包装装置には制御装置、各種センサ等が設けられているが、制御装置の機能、センサの作用等はその都度説明する。一側部が綴られ他側部が見開き状態になっている雑誌、カタログ、冊子等の書類Ｂの見開き部分すなわち第３側ｄに対応した大きさの簡易包装紙Ｐ、Ｐ、…が張られているロール状のセパレータ紙Ｓを第１のセパレータ紙保持器４に搭載する。また、セパレータ紙の先端部をガイドローラ６、６、剥離器２及び駆動ローラ７、７に通して第２のセパレータ紙保持器５に巻き付ける。そうして、駆動ローラ７，７及び第２のセパレータ紙保持器５を駆動する。そうすると、セパレータ紙Ｓは剥離器２を通過するとき、剥離部３で鋭角に曲げられる。セパレータ紙Ｓが鋭角に曲げられることにより、簡易包装紙Ｐはその先端縁部から剥離される。大部分が剥離されている状態が図２の（ニ）に示されている。
【００１７】
一方、図には示されていないが、例えば書類送出台車から処理する書類Ｂ、Ｂ、…を順次書類搬送コンベヤ１０に移す。このとき、見開き部分すなわち包装する部分の第３側ｄが、図２において右方に位置するようにして移す。例えば、ステップモータにより書類搬送コンベヤ１０が駆動され、処理する書類Ｂの先端部が剥離器２の所定位置に達すると、センサがこれを検知して書類Ｂは、一旦停止する。このとき、ガイドローラ６、６の回転はエンコーダに入力されているので、簡易包装紙Ｐは書類Ｂと同期して搬送される。簡易包装紙Ｐの大部分が剥離され、そして簡易包装紙Ｐの後端縁部が、書類Ｂの第３側ｄに位置している状態が図２の（ニ）に示されている。制御装置からの信号により、第１、２のエアシリンダ２５、２６にエアが供給され、第１〜３の張付ローラ２１〜２３は、下方へ駆動される。駆動された状態が図２の（ホ）に示されている。第１の張付ローラ２２により、簡易包装紙Ｐの後端縁部が書類Ｂの第３側ｄの表面に押し付けられ、張り付けられる。また、第２、３のり付ローラ２２、２３は、書類Ｂの間に位置するようになる。この状態で書類Ｂは前方へ駆動される。書類Ｂは、第２、３の張付ローラ２２、２３の間を通過する。これにより、簡易包装紙Ｐは書類Ｂの第３側ｄの表面に張り付けられ、下端縁部は予備的に曲げられる。曲げられつつある状態が図２の（ヘ）に示されている。
【００１８】
書類Ｂは、さらに搬送される。そうして、他面張付部３０の駆動張付ローラ３１、３２の間に押し込められる。駆動張付ローラ３１、３２に挟まれて送り出される。送り出されるとき、簡易包装紙Ｐは書類Ｂの第３側ｄの表裏面に張り付けられ、製品となる。製品は、例えば台車Ｗに積み込まれる。書類Ｂが片面張付部２０を通過したら、センサがこれを検知して、第１〜３の張付ローラ２１〜２３は、図２の（イ）あるいは（ニ）に示されている上方の初期位置へ駆動される。以下、上記したようにして、書類Ｂは、順次その第３側ｄがシールされ製品化される。
【００１９】
図３の（イ）により、本発明の第２の実施の形態を説明する。上記した第１の実施の形態の構成要素と同じような要素には、同じ参照数字を付けて、あるいは同じ参照数字にダッシュ「’」を付けて重複説明はしないが、本実施の形態に係わる簡易包装装置も、書類Ｂの第３側ｄをシールするようになっている。本実施の形態によると、セパレータ紙Ｓから剥離された、あるいは剥離されつつある簡易包装紙Ｐは、その下端部が樋状の受部材３５で受けられるようになっている。そして、この受部材３５に対応して、両面張付部材３０’が設けられている。
【００２０】
したがって、簡易包装紙Ｐが、図３の（イ）に示されている位置へ駆動されると、これに同期して、書類搬送コンベヤ１０の駆動ローラ１１、１１により書類Ｂが第３側ｄを先にして搬送される。そうして、簡易包装紙Ｐに略直角に当たり、簡易包装紙Ｐと共に駆動張付ローラ３１、３２の間に押し込まれ、これらの駆動張付ローラ３１、３２により挟み送りされる。これにより、セパレータ紙Ｓにその一部が付着していた簡易包装紙Ｐは、全体が剥離されて書類Ｂの第３側ｄの表裏面に同時に張り付けられる。そして、両面張付部３０’から前述したように、例えば台車上へ排出される。
【００２１】
上記第１、２の実施の形態では、書類Ｂは前方の見開き部分の全長を簡易包装紙Ｐでシールするようになっているが、情報が記入されているラベルでも同様にシールできることは明らかである。また、見開き部分の一部を同様にしてシールすることもできる。一部をシールした状態が、図３の（ロ）に示されている。すなわち、図３の（ロ）には、書類Ｂの第３側ｄの一部が、平面形が円形を呈するラベルＰ’でシールされている状態が示されている。両側ｂ、ｃにも、両側ｂ、ｃを前方にして搬送して同様にしてシールできることは明らかである。
【００２２】
次に、図４、５により、書類Ｂの両側ｂ、ｃを一度にシールする第３の実施の形態を説明する。本実施の形態でも、前述した第１、２の実施の形態の構成要素と同様な要素には同じ参照数字を付けて、あるいはダッシュ「’」を付けて重複説明はしないが、本実施の形態によると、書類Ｂの両側ｂ、ｃをシールするようになっているので、セパレータ紙Ｓ’は、図４の（ロ）に示されているように、書類Ｂの幅に合わせた間隔に配置されている。また、セパレータ紙Ｓ’には、所定間隔にスプロケットの歯が係合する透孔４０、４０、…が開けられている。そして、簡易包装紙Ｐ、Ｐ、…は、透孔４０、４０，…の内側に長手方向に張られている。
【００２３】
上記のように構成されているセパレータ紙Ｓ’、Ｓ’は、第１、２の実施の形態と同様にセパレータ紙保持器に支持され、そしてエンコーダ付きのスプロケット４２、４２により案内されて繰り出されるようになっている。そして、剥離器２の剥離部３で鋭角的に折り返され、駆動スプロケット４３、４３で引き取られるようになっている。これらのスプロケット４２、４２、４３、４３の軸４４には、図５の（ロ）に示されているように、筒状のスペーサ４５が設けられている。したがって、長短複数個のスペーサを用意しておくと、スペーサを交換することにより、セパレータ紙Ｓ’、Ｓ’の間隔すなわち簡易包装紙Ｐ、Ｐの間隔を変えることができる。
【００２４】
分離器２の前方の、書類搬送コンベヤ１０の近傍に張付ローラ５０（５０）が設けられている。この張付ローラ５０（５０）は、書類搬送コンベヤ１０に対する高さが調節自在に、且つ高さ方向にクッション性を持たせて設けられている。張付ローラ５０（５０）の下流側に、一対の第１の曲部材５１、５１が設けられている。これらの第１の曲部材５１、５１は、図５の（イ）にも示されているように、板状体から構成され、その面が垂直で、処理される書類Ｂの両側部に近接して、その外側に配置されている。そして、その下辺は、下流側に向かって傾斜したガイド辺５２、５２となっている。したがって、書類Ｂが駆動されると、書類Ｂにその縁が張られている簡易包装紙Ｐがガイド辺５２、５２に接し、そして略直角に折り曲げられることになる。
【００２５】
第１の曲部材５１、５１の下流側に、第２の曲部材５５、５５が設けられている。これらの第２の曲部材５５、５５も、図５の（ロ）に示されているように、板状体から構成され、その面が紙面に平行で、処理される書類Ｂの両側部の下面に近接して、その外側に配置されている。そして、その内側の辺は、下流側に向かって傾斜したガイド辺５６、５６となっている。したがって、書類Ｂが駆動されると、これらのガイド辺５６、５６により簡易包装紙Ｐが略直角に折り曲げられることになる。
【００２６】
次に、上記実施の形態の作用について説明する。前述した実施の形態と同様に駆動スプロケット４３（４３）によりセパレータ紙Ｓ’を引き、セパレータ紙保持器に巻き取る。そうすると、前述したように剥離器２の剥離部３により、簡易包装紙Ｐ’、Ｐ’は、セパレータ紙Ｓ’から剥離される。制御装置により、この剥離と同期して書類Ｂが搬送され、その先端部が剥離された簡易包装紙Ｐ’、Ｐ’の先端部と一致する。そうして、書類Ｂと簡易包装紙Ｐ’、Ｐ’は、制御装置により同期して駆動され、張付ローラ５０（５０）を通過する。これにより、簡易包装紙Ｐ’、Ｐ’の縁部が書類Ｂの側部の表面に押し付けられ、それぞれ張り付けられる。張り付けられて、張付ローラ５０（５０）を通過した状態が図５の（イ）に示されている。さらに駆動する。そうすると、簡易包装紙Ｐ’、Ｐ’の先端部が、第１の曲部材５１、５１のガイド辺５２、５２に接するようになる。さらに駆動すると、簡易包装紙Ｐ’、Ｐ’は、ガイド辺５２、５２により、実質的に直角に折り曲げられる。直角に折り曲げられて、書類Ｂの両側部ｂ、ｃの縁部に張り付けられた状態が図５の（ロ）に示されている。
【００２７】
さらに駆動する。そうすると、簡易包装紙Ｐ’、Ｐ’の垂直に折り曲げられた部分が第２の曲部材５５、５５のガイド辺５６、５６に接するようになる。さらに駆動すると、簡易包装紙Ｐ’、Ｐ’の垂直に折り曲げられた部分がガイド辺５６、５６に接し、これらのガイド辺５６、５６により、直角に折り曲げられる。これにより、簡易包装紙Ｐ’の他の縁部が、書類Ｂの両側部ｂ、ｃの下面に張り付けられる。これにより、図５の（ハ）に示されているように、書類Ｂの両側ｂ、ｃがシールされた製品となる。
【００２８】
第３の実施の形態に係わる第１、２の曲部材５１、５１、５５、５５の材質に関しては、格別に言及されていないが、例えば摩擦係数の小さいフッ素樹脂から構成することもできる。また、本実施の形態も色々変形可能である。例えば、第１、２の曲部材５１、５１、５５、５５は、取付部の位置を調節可能に設けることもできるし、また複数個のガイドローラにより簡易包装紙Ｐ’を移動させながら順次折り曲げるように実施することもできる。さらには、第１あるいは第２の実施の形態に係わる簡易包装装置により、簡易包装紙を書類Ｂの第３側ｄの一部に張り付けることができることは明らかである。このときは、上記した１枚のセパレータ紙Ｓ’が適用され、このセパレータ紙Ｓ’の両側にスプロケットを配置するように実施するのが望ましい。このように実施すると、セパレータ紙Ｓ’とスプロケットとの間に介装するスペーサを適宜選択することにより、張り付け位置を変更することができる。
【００２９】
前記第１、２の実施の形態によると、書類Ｂの見開き部分すなわち第３側ｄがシールされ、第３の実施の形態によると、両側ｂ、ｃがシールされるので、これらの簡易包装装置を組み合わせることにより、書類の両側ｂ、ｃ及び第３側ｄをシールすることができる。なお、図２の（イ）に示されている第１の張付ローラ２１及び図４の（ハ）に示されている張付ローラ５０（５０）は、ローラに代えて単なる押部材でも実施できる。
【００３０】
片面張付部２０の他の実施の形態が図６に示されている。図２の（イ）に示されている実施の形態の構成要素と同様な要素には同じ参照数字にダッシュ「’」を付けて重複説明しないが、本実施の形態によると、１個のエアシリンダ２５’により第１、２の張付ローラ２１’、２２’とガイドローラ２７とが駆動されるようになっている。なお、エアシリンダ２５’で駆動される駆動部材２８と第１の張付ローラ２１’との間には、バネ例えばコイルスプリング２９が介装されている。したがって、書類Ｂが片面張付部２０に送られてくると、エアシリンダ２５’により、第１、２の張付ローラ２１’、２２’とガイドローラ２７とが下方へ同時に駆動される。そうして、第１の張付ローラ２１’が簡易包装紙Ｐを書類Ｂの上面に押し付ける。これにより、簡易包装紙Ｐが書類Ｂの上面に張り付けられる。さらに駆動すると、コイルスプリング２９は圧縮され、第２の張付ローラ２２’は下がり、この第２の張付ローラ２２’により、簡易包装紙Ｐは書類Ｂの前方に張り付けられる。このようにして張り付けられている状態が、図６の（ロ）に示されてい。さらに駆動すると、第２の張付ローラ２２’は、書類Ｂよりも下方に位置するようになる。書類Ｂが前方へ駆動され、下方へ駆動された第２の張付ローラ２２’により、図６の（ハ）に示されているように、書類Ｂの下面に張り付けられる。書類Ｂがさらに前方へ駆動され、張り付けが終わると、ガイドローラ２７により、次の他面張付ローラ３０の方へ搬送される。
【００３１】
【発明の効果】
以上のように、請求項１または２に記載の発明による簡易包装紙は、一側面には糊が付けられた平面形状は略長方形を呈し、長手方向にはミシン目が入れられているので、あるいは長手方向には両端部から所定深さにミシン目が入れられているので、一側部が綴られ他側部が見開き状態になっている雑誌、カタログ、冊子等の書類を第３種郵便物に適合するようにシールすることができると共に、全体を剥がすことなく、内容を読むことができ、また容易に剥がすこともできるという、本発明に特有の効果が得られる。
請求項３に記載の発明によると、セパレータ紙に張られている簡易包装紙を剥離する簡易包装紙供給部と、該簡易包装紙供給部から供給される簡易包装紙の一方の側縁を書類の見開き部分の表面に張り付ける片面張付部と、片面が張り付けられた簡易包装紙の他方の側縁を書類の見開き部分の裏面に張り付ける他面張付部とからなり、前記簡易包装紙供給部はセパレータ紙を鋭角的に案内する剥離部から、前記片面張付部は押部材から、そして前記他面張付部は上下方向に所定の間隔をおいて配置されている一対の張付駆動ローラからなり、簡易包装紙は、簡易包装紙が張られているセパレータ紙が前記剥離部により鋭角的に案内されるときセパレータ紙から剥離され、簡易包装紙の一方の側縁は前記押部材により書類の見開き部分の表面に押し付けることにより、そして片面が張り付けられた簡易包装紙の他方の側縁は、前記一対の張付駆動ローラ間を見開き部分を先にして書類が通過するとき張り付けられるようになり、請求項４に記載の発明によると、セパレータ紙に張られている簡易包装紙を剥離する簡易包装紙供給部と、該簡易包装紙供給部から供給される簡易包装紙を書類の見開き部分の両面に張り付ける両面張付部とからなり、前記簡易包装紙供給部は、セパレータ紙を鋭角的に案内する剥離部を備え、前記両面張付部は上下方向に所定の間隔をおいて配置されている一対の駆動張付ローラからなり、簡易包装紙は、簡易包装紙が張られているセパレータ紙が前記剥離部により鋭角的に案内されるときセパレータ紙から剥離され、そして前記両面張付部の前方に位置決めされ、書類の見開き部分は、該部分を先にして位置決めされている簡易包装紙に略直角に当接させ、そして前記一対の駆動張付ローラ間を通過させるとき張り付けられるようになっているので、そして請求項５に記載の発明によると、セパレータ紙に張られている簡易包装紙を剥離する、所定間隔に配置されている一対の簡易包装紙供給部と、該簡易包装紙供給部から供給される簡易包装紙の一方の側縁を書類の見開き部分の側部の表面に張り付ける片面張付部と、片面が張り付けられた簡易包装紙の他方の側縁を書類の見開き部分の側部の裏面に張り付ける他面張付部とからなり、前記簡易包装紙供給部はセパレータ紙を鋭角的に案内する剥離部から、前記片面張付部は押部材から、そして前記他面張付部はガイド部材からなり、簡易包装紙は、簡易包装紙が張られているセパレータ紙が前記剥離部により鋭角的に案内されるときセパレータ紙から剥離され、簡易包装紙の一方の側縁は前記押部材により書類の見開き部分の側部の表面に押し付けることにより、そして片面が張り付けられた簡易包装紙の他方の側縁は、前記ガイド部材を通過するとき張り付けられるようになっているので、構造が簡単で安価な簡易包装装置を提供することができる効果が得られる。また、構造が簡単であるので、保守点検が容易で故障も少ない。
【図面の簡単な説明】
【図１】本発明の実施の形態に係わる簡易包装紙を示す図で、その（イ）は、書類に適用した状態で示す斜視図、その（ロ）〜（ホ）はそれぞれ異なる実施の形態を示す平面図である。
【図２】本発明の第１の実施の形態に係わる簡易包装装置を示す図で、その（イ）は全体を模式的に示す側面図、その（ロ）はセパレータ紙に簡易包装紙が張られた状態を示す平面図、その（ハ）は、片面張付部の拡大側面図、その（ニ）〜（ト）は、第１の実施の形態に係わる簡易包装装置のそれぞれ異なる作用状態を示す断面図である。
【図３】その（イ）は本発明の第３の実施の形態に係わる簡易包装装置を示す側面図、その（ロ）は本実施の形態によりシールされた書類の斜視図である。
【図４】本発明の第３の実施の形態に係わる簡易包装装置を示す図で、その（イ）は本実施の形態に係わる簡易包装装置によりシールされた書類を示す斜視図、その（ロ）は簡易包装装置の要部を模式的に示す斜視図、その（ハ）は他の要部を模式的に示す側面図である。
【図５】第３の実施の形態に係わる簡易包装装置のそれぞれ異なる作用状態を示す断面図である。
【図６】本発明の実施の形態に係わる簡易包装装置の片面張付部の他の実施の形態を示す図で、その（イ）〜（ハ）はそれぞれ異なる作用状態を示す断面図である。
【符号の説明】
Ｐ　　　簡易包装紙　　　　　　Ｍ、Ｍ’　　　ミシン目
Ｍ１、Ｍ２　　　ミシン目　　　　Ｍ１’、Ｍ２’　　　ミシン目
１　　　簡易包装紙供給部　　　　　２　　　　剥離器
３　　　剥離部　　　　　　　　　　１０　　　　書類搬送コンベヤ
２０　　　片面張付部　　　　　　　２１　　　　第１の張付ローラ
２２、２３　　　第２、３の張付ローラ　　３０　　　　他面張付ローラ
３０’　　両面張付ローラ　　３１、３２　　　　駆動張付ローラ
５０　　　張付ローラ　　　　　　　５１　　　　第１の曲部材
５５　　　第２の曲部材
【図１】
2004017969.tif 000003
【図２】
2004017969.tif 000004
【図３】
2004017969.tif 000005
【図４】
2004017969.tif 000006
【図５】
2004017969.tif 000007
【図６】
2004017969.tif 000008